(57)【要約】【課題】レーザ墨出し装置において、内部に備えられた精密な光学系部品を、落下などによる衝撃から確実に保護する。【解決手段】レーザ墨出し装置１は、レーザ光を発する光学部４と、光学部４を内部に収容し、レーザ光を通過させるための開口窓６を有する筐体３とを備える。また、レーザ墨出し装置１は、筐体３を着脱可能に覆い、かつ、開口窓６に対応する位置にレーザ光を通過させるための開口部５１〜５３を有する緩衝部材５を備える。この緩衝部材５により、筐体３の内部に備えられた精密な光学部を、落下などによる衝撃から確実に保護する。【選択図】図１
2012247203.tif 000002
【特許請求の範囲】
【請求項１】
レーザ光を発する光学部と、前記光学部を内部に収容し、前記レーザ光を通過させるための開口窓を有する筐体とを備えるレーザ墨出し装置において、
前記筐体を着脱可能に覆い、かつ、前記開口窓に対応する位置にレーザ光を通過させるための開口部を有する緩衝部材を備える、ことを特徴とするレーザ墨出し装置。
【請求項２】
前記緩衝部材は、その内側面に突出した複数のリブを有する、ことを特徴とする請求項１記載のレーザ墨出し装置。
【請求項３】
前記リブは、その水平断面が台形形状であり、かつ当該リブの底部は前記緩衝部材の内側面と鈍角となる形状である、ことを特徴とする請求項２記載のレーザ墨出し装置。
【請求項４】
前記開口部の周縁部は、前記緩衝部材の外面より盛り上がった構造を有する、ことを特徴とする請求項１乃至請求項３のいずれか一項に記載のレーザ墨出し装置。
【請求項５】
前記筐体は、外面に凸部を有し、
前記緩衝部材は、その内面に、前記凸部と嵌合される凹部を有している、ことを特徴とする請求項１乃至請求項４のいずれか一項に記載のレーザ墨出し装置。
【発明の詳細な説明】
【技術分野】
【０００１】
本発明は、壁面や天井面に線状、もしくは点状のレーザ光を照射して墨出し作業に用いられるレーザ墨出し装置に関する。
【背景技術】
【０００２】
レーザ墨出し装置は、例えば、建築業者が施工現場で、水平レベルや鉛直点などの基準出しのための作業道具として一般的に用いられている。レーザ墨出し装置は、ライン状のレーザ光線を天井などの壁面上に照射して、その指示したポイントやライン上を基準に建具（壁、棚、照明）等が設置される。このため、レーザ墨出し装置は、高い位置精度が必要とされ、内部の光学系部品の組立にも高精密が要求される。
【０００３】
レーザ墨出し装置は精密機械であるため、ユーザは取り扱い時や持ち運び時に落下や転倒等によりレーザ墨出し装置に衝撃を与えないよう注意する必要がある。しかし、レーザ墨出し装置が使用される作業現場は、建設現場などの苛酷な環境であるため、レーザ墨出し装置が落下や転倒などの衝撃を受ける可能性が高く、内部の光学系部品の破損や精度悪化につながりやすい。従って、レーザ墨出し装置に、衝撃による光学系部品の精度悪化を防ぐ手段が備えられる場合がある。
【０００４】
例えば、図７に示すレーザ墨出し装置７０の例では、外郭７１の上部外周に沿って緩衝部材７２を付設している（例えば、特許文献１参照）。レーザ墨出し装置７０は、緩衝部材７２を用いて転倒・落下時の衝撃力が印加されたときの衝撃を和らげて内部に収容された光学系部品の精度を保持する。
【先行技術文献】
【特許文献】
【０００５】
【特許文献１】特開２００９−２３６７４４号公報
【発明の概要】
【発明が解決しようとする課題】
【０００６】
しかしながら、上記のレーザ墨出し装置７０では、緩衝部材７２が上部の一部にのみ設置されるため、この緩衝部材７２の部分でのみしか緩衝効果がない。従って、緩衝部材７２で覆われていないレーザ墨出し装置７０の胴体部が先に接地するような落下の場合には、衝撃が直接、レーザ墨出し装置７の外郭を通じて内部機構に作用し、内部の光学系機器を破損させてしまうという欠点がある。
【０００７】
本発明は、上記課題に鑑みてなされたものであり、内部に収容された精密な光学系部品を、落下や転倒などの衝撃から確実に保護できるレーザ墨出し装置を提供することを目的とする。
【課題を解決するための手段】
【０００８】
上記目的を達成するために本発明は、レーザ光を発する光学部と、前記光学部を内部に収容し、前記レーザ光を通過させるための開口窓を有する筐体とを備えるレーザ墨出し装置において、前記筐体を着脱可能に覆い、かつ、前記開口窓に対応する位置にレーザ光を通過させるための開口部を有する緩衝部材を備えることを特徴とするものである。
【０００９】
このレーザ墨出し装置において、前記緩衝部材は、その内側面に突出した複数のリブを有することが好ましい。
【００１０】
このレーザ墨出し装置において、前記リブは、その水平断面が台形形状であり、かつ当該リブの底部は前記緩衝部材の内側面と鈍角となる形状であることが好ましい。
【００１１】
このレーザ墨出し装置において、前記開口部の周縁部は、前記緩衝部材の外面より盛り上がった構造を有することが好ましい。
【００１２】
このレーザ墨出し装置において、前記筐体は、外面に凸部を有し、前記緩衝部材は、その内面に、前記凸部と嵌合される凹部を有していることが好ましい。
【発明の効果】
【００１３】
本発明によれば、レーザ墨出し装置の筐体を着脱可能に覆い、かつ、レーザ光を通過させるための開口部を有する緩衝部材を用いて、落下や転倒時における衝撃から光学部を保護することができる。
【図面の簡単な説明】
【００１４】
【図１】本発明の実施の形態に係るレーザ墨出し装置の使用状態における斜視図である。
【図２】同上レーザ墨出し装置の不使用状態における斜視図である。
【図３】同上レーザ墨出し装置の緩衝部材及び筐体の断面図である。
【図４】（ａ）同上緩衝部材の水平断面図、（ｂ）同上緩衝部材の水平断面の一部拡大図である。
【図５】同上実施の形態の変形例に係るレーザ墨出し装置の水平断面の一部拡大図である。
【図６】同上レーザ墨出し装置の水平断面図である。
【図７】従来のレーザ墨出し装置の断面図である。
【発明を実施するための形態】
【００１５】
（実施の形態）
本発明の実施の形態に係るレーザ墨出し装置について図面を参照して説明する。図１はレーザ墨出し装置１の構成を示す。レーザ墨出し装置１は、垂直や水平なレーザ光を出射し、設置面に支持するための支持体２と、支持体２に支持される筐体３と、筐体３の内部でジンバル機構（図示せず）によって垂直に取り付けられる光学部４と、筐体３を覆う緩衝部材５とを備える。
【００１６】
支持体２は、例えば回転軸によって回動自在に筐体３の底部に取り付けられる。レーザ墨出し装置１が使用されるときには、図１に示すように支持体２が開かれて設置面に設置され、使用されないときには、図２に示すように支持体２が閉じられて収納される。筐体３は、光学部４を内部に収容し、レーザ光を通過させるための開口窓６を有し、３本の支持体２によって支持されている。
【００１７】
光学部４は、その使用状態において、例えば正面及び天井面を照射する垂直な正面垂直ライン光Ｌ１と、正面を照射する水平な水平ライン光Ｌ２と、側面及び天井面を照射する垂直な側面垂直ライン光Ｌ３とを、それぞれの開口窓６を通して出射する。正面垂直ライン光Ｌ１を含む平面と側面垂直ライン光Ｌ３を含む平面とは、互いに直交する。なお、レーザ墨出し装置１の光学部４の詳細に関しては図示を省略している。
【００１８】
緩衝部材５は、光学部４からＸＹＺの３方向に照射される各レーザ光軸を遮光しない大きさの開口部５１〜５３が３方向に設けられる。これら開口部５１〜５３は、筐体３の開口窓６に対応する位置に形成される。緩衝部材５は、図３に示すように、例えばゴムやエラストマー等の弾性を持つ樹脂材料を用いて、筐体３から上下方向に着脱可能となる略円筒形状で構成される。
【００１９】
また、緩衝部材５は、図４に示すように、その内側面に、所定のピッチ幅で、緩衝部材５の長手方向に沿って伸延し、内側に突出した複数のリブ（リブ状構造）５ａが形成される。落下などによりレーザ墨出し装置１が外部からの衝撃を受けたとき、リブ５ａがつぶれて座屈することで効率的に衝撃を緩和することができる。なお、緩衝部材５がリブ５ａを有せずに例えば一枚の分厚い板状のゴム構造などで形成される場合、外部からの衝撃時に緩衝部材５の「逃げしろ（縮みしろ）」のための座屈空間が少なくなり、リブ５ａがある構造に比べて緩衝効果が低くなる。
【００２０】
リブ５ａは、その水平断面が緩衝部材５の外周側に向かって肉厚が厚くなる台形形状で形成される。図４（ｂ）に示す例では、緩衝部材５の半径方向外側に位置する下底の長さが３．３mm、緩衝部材５の半径方向内側に位置する上底の長さが１．７mm、ピッチが円周方向に１８°で各リブ５ａが形成されている。
【００２１】
上記台形形状のリブ５ａの斜辺は、緩衝部材５の内側面と鈍角（図４では９９°）で交わる構造である。この構成により、緩衝部材５は、製造時の金型からの離型性が良くなり生産しやすい。なお、リブ５ａの形状は上記台形形状に限定されるものではない。例えばリブ５ａの斜辺と緩衝部材５の内側面とのなす角度が鈍角であれば、リブ５ａの斜辺を直線形状でなく、曲面形状(例えば、膨れる方向である凸状の曲線、若しくは窪む方向である凹状の曲線)としても同様の効果が得られる。また、リブ５ａの水平断面の形状は、略台形形状でもよいし、図４に示す等脚台形ではある必要はなく、底角の一方が直角となる台形形状や緩衝部材５の半径方向内側に向かって突出するノコギリ歯形状などでもよい。
【００２２】
以上のように、本実施の形態に係るレーザ墨出し装置１は、筐体３を着脱可能に覆い、光学部４から発せられるライン状光線を通過させる開口部５１〜５３を有する緩衝部材５を備える。この緩衝部材５は、取り扱い時や持ち運び時における落下や転倒の衝撃から内部の光学部４を保護して、光学部４の照射精度を維持できる。また、緩衝部材５に内側方向に突出する複数のリブ５ａを形成することで、衝撃が加えられたときに座屈できる空間が増え、より高い緩衝緩和の効果が得られる。
【００２３】
（第１の変形例）
本実施の形態の第１の変形例について、図５及び図６を参照して説明する。本変形例では、緩衝部材５のレーザ光が通過する開口部５１の周縁部に、緩衝部材５の外周５ｂよりも盛り上がった構造５ｃが形成される。
【００２４】
レーザ墨出し装置１の筐体３には、上述のように光学部４からのレーザ光が通過する窓ガラスを備えた開口窓６が設けられている。開口窓６には、図５に示すように、窓ガラスの破壊防止のため、エラストマーなどの保護用樹脂７が外側に突出する突起状で付設されている。この保護用樹脂７は、転倒・落下時などに開口窓６の窓ガラスが直接接地して衝撃が加わることを防止するために設けられている。緩衝部材５に盛り上がり構造５ｃが形成されていない場合には、開口窓６の近傍の緩衝部材５の肉厚が薄肉形状となり、開口窓６の窓ガラスが受ける衝撃力が大きくなる可能性がある。
【００２５】
このため、本変形例に係る緩衝部材５においては、開口部５１の周縁部に、緩衝部材５の外周５ｂより盛り上がった構造５ｃを形成する。このことで、当該周縁部を厚肉形状として、落下時に開口窓６の箇所に加えられる衝撃を効果的に緩和できる。
【００２６】
また、図６に示すように、筐体３の外郭には、凸形状の外郭突出部３ａが複数形成される。緩衝部材５は、その内面に、これらの外郭突出部３ａに嵌合する形状となる凹部５ｄを有する。この構成により、緩衝部材５が筐体３に装着される場合、筐体３の外郭突出部３ａと緩衝部材５の凹部５ｄとが嵌合され、装着した緩衝部材５がずれて開口窓６を塞ぐことや緩衝部材５が筐体３から脱落することを適切に防止できる。なお、本発明は、上記実施の形態の構成に限られず、発明の趣旨を変更しない範囲で種々の変形が可能である。例えば、緩衝部材５に形成される開口部は、開口部５１〜５３の３方向に限定されるものではない。
【符号の説明】
【００２７】
１  レーザ墨出し装置
２  支持体
３  筐体
３ａ  外郭突出部（凸部）
４  光学部
５  緩衝部材
５１，５２，５３  開口部
５ａ  リブ
５ｃ  盛り上がり構造
５ｄ  凹部
６  開口窓
７  保護用樹脂
Ｌ１  正面垂直ライン光
Ｌ２  水平ライン光
Ｌ３  側面垂直ライン光
【図１】
2012247203.tif 000003
【図２】
2012247203.tif 000004
【図３】
2012247203.tif 000005
【図４】
2012247203.tif 000006
【図５】
2012247203.tif 000007
【図６】
2012247203.tif 000008
【図７】
2012247203.tif 000009